(57)【要約】【課題】  メモリカードの情報の漏洩を防ぐことができる画像処理装置を提供する。【解決手段】  メモリカードスロットを備えた画像処理装置において、メモリカードを読み取るカード読取部４と、メモリカードが挿入されると暗証番号の入力を促すメッセージ出力部７と、カード読取部４及びメッセージ出力部７を制御する制御部１とを備え、制御部１は暗証番号の入力によりメモリカードの認識を開始し、暗証番号が正しい場合にメモリカードの内容を公開する。【選択図】        図１
2007076199.tif 000002
【特許請求の範囲】
【請求項１】
メモリカードスロットを備えた画像処理装置において、メモリカードを読み取るカード読取部と、前記メモリカードが挿入されると暗証番号の入力を促すメッセージを出力するメッセージ出力部と、前記カード読取部及び前記メッセージ出力部を制御する制御部とを備え、前記制御部は暗証番号の入力により前記メモリカードの認識を開始し、暗証番号が正しい場合に、前記メモリカードの内容を公開することを特徴とする画像処理装置。
【請求項２】
請求項１に記載の画像処理装置において、前記制御部は、前記メモリカードが前記メモリカードスロットから抜かれると暗証番号を消去することを特徴とする画像処理装置。
【発明の詳細な説明】
【技術分野】
【０００１】
本発明は、複写機、プリンタなどの画像処理装置に関し、特にメモリカードスロットを備えた画像処理装置に関する。
【背景技術】
【０００２】
図８は画像処理装置がパソコンと接続された状態を示す図である。画像処理装置１０はメモリカードスロット１１を備えている。画像処理装置１０は上位装置であるパソコン２０とネットワークで接続されてネットワーク画像処理システムを構成しており、パソコン２０で作成された印刷データは画像処理装置１０で解読されて用紙に出力される。
なお、先行文献としては特許文献１などが挙げられる。
【特許文献１】特開２００４−１９３９２３公報
【発明の開示】
【発明が解決しようとする課題】
【０００３】
ところが、従来のメモリカードスロット付きの画像処理装置は、メモリカードを挿入した時点でメモリカードの認識を行っており、メモリカードを挿入した人でなくてもその中身を見ることができ、また外部につながっているパソコンなどからもメモリカードの中身を見ることができた。そのため、他人に見られたくない画像がメモリカードに入っていた場合、そのセキュリティを確保することができないという問題があった。
そこで、本発明はこのような点を鑑みてなされたものであり、メモリカードの情報の漏洩を防ぐことができる画像処理装置を提供することを目的とする。
【課題を解決するための手段】
【０００４】
上記目的を達成するために、請求項１記載の発明は、メモリカードスロットを備えた画像処理装置において、メモリカードを読み取るカード読取部と、前記メモリカードが挿入されると暗証番号の入力を促すメッセージを出力するメッセージ出力部と、前記カード読取部及び前記メッセージ出力部を制御する制御部とを備え、前記制御部は暗証番号の入力により前記メモリカードの認識を開始し、暗証番号が正しい場合に、前記メモリカードの内容を公開することを特徴とする。
請求項２記載の発明は、請求項１に記載の画像処理装置において、前記制御部は、前記メモリカードが前記メモリカードスロットから抜かれると暗証番号を消去することを特徴とする。
【発明の効果】
【０００５】
本発明によれば、制御部は暗証番号の入力によりメモリカードの認識を開始し、暗証番号が正しい場合にメモリカードの内容を公開するので、メモリカードの情報の漏洩を防ぐことができる。また、メモリカードスロットからメモリカードが抜かれたときに入力した暗証番号のデータを画像処理装置から自動で消去することにより、暗証番号の機密性を保持することができる。
【発明を実施するための最良の形態】
【０００６】
以下、図面を参照して、本発明の実施形態を詳細に説明する。
図１は本発明の実施形態に係る画像処理装置の機能ブロック図である。
本実施形態の画像処理装置は、ＣＰＵ（制御部）１を中心に、印刷エンジン２、スキャナ３、カード読取部４、外部通信部５、画像処理部６、メッセージ出力部７を備えている。メッセージ出力部７は後述のメッセージを出力するモジュールであり、通常は操作パネルが相当するが、メッセージを音声で出力するモジュールであってもよい。
図２は図１に示す画像処理装置においてメモリカードを挿入した際のメッセージ表示を説明するための図である。
画像処理装置１０のメモリカードスロット１１に図示しないメモリカードを挿入すると、メッセージ出力部７では、例えば、「暗証番号を入力してください」というメッセージを表示してユーザーにメッセージの入力を促す。
図３は外部からメモリカードの中身を参照する場合のメッセージ表示を示す図である。外部のパソコン２０でメモリカードの中身を参照しようとすると、例えば、「暗証番号を入力してください」というメッセージを画面に表示してユーザーにメッセージの入力を促す。ここで正しい暗証番号が入力されて始めて、メモリカードの中身を見ることができる。
図４は画像処理装置からメモリカードを抜いた状態を示す図である。画像処理装置１０のメモリカードスロット１１からメモリカード１２を抜いた場合は、ＣＰＵ１は内部に記憶した暗証番号を消去する。
【０００７】
図５、図６は図１に示す画像処理装置においてメモリカードが挿入された場合の制御内容を示すフローチャートである。以下の制御はＣＰＵ１によってなされる。図５において、画像処理装置１０のメモリカードスロット１１にメモリカード１２が挿入されると（Ｓ１、Ｓ２）、メッセージ出力部７に、図２で説明したような、「暗証番号を入力してください」というメッセージを表示してユーザーにメッセージの入力を促す（Ｓ３）。
暗証番号が入力されると（Ｓ４）、メモリカード１２の認識を開始する（Ｓ５）。そして図６において、暗証番号を予め登録されているものと一致するか確認する（Ｓ１１）。一致したら（Ｓ１２）、メモリカード１２の内容を公開する（Ｓ１３）。
図７は図１に示す画像処理装置からメモリカードが抜かれた場合の制御内容を示すフローチャートである。前述したように、画像処理装置１０のメモリカードスロット１１からメモリカード１２を抜いた場合は（Ｓ２１）、ＣＰＵ１はその内部に記憶した暗証番号を消去する（Ｓ２２）。
【図面の簡単な説明】
【０００８】
【図１】本発明の実施形態に係る画像処理装置の機能ブロック図。
【図２】図１に示す画像処理装置においてメモリカードを挿入した際のメッセージ表示を示す図。
【図３】外部からメモリカードの中身を参照する場合のメッセージ表示を示す図。
【図４】画像処理装置からメモリカードを抜いた状態を示す図。
【図５】図１に示す画像処理装置においてメモリカードが挿入された場合の制御内容を示すフローチャート（その１）。
【図６】図１に示す画像処理装置においてメモリカードが挿入された場合の制御内容を示すフローチャート（その２）。
【図７】図１に示す画像処理装置からメモリカードが抜かれた場合の制御内容を示すフローチャート。
【図８】画像処理装置がパソコンと接続された状態を示す図。
【符号の説明】
【０００９】
１  ＣＰＵ（制御部）、４  カード読取部、７  メッセージ出力部
【図１】
2007076199.tif 000003
【図２】
2007076199.tif 000004
【図３】
2007076199.tif 000005
【図４】
2007076199.tif 000006
【図５】
2007076199.tif 000007
【図６】
2007076199.tif 000008
【図７】
2007076199.tif 000009
【図８】
2007076199.tif 000010